【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおける近接発見のための方法であって、
近接発見の結果を共有するステップを含み、
前記共有するステップは、モバイルデバイスによって実行され、
告知デバイスから第1の告知を受信するステップと、
前記受信された告知が、前記モバイルデバイスのユーザにとって興味深いということを示す共有命令を、前記モバイルデバイスのユーザから受信するステップと、
前記共有命令に応答して、前記受信された第1の告知に基づいて発見共有データを生成するステップと、
前記発見共有データを外部サーバに送信するステップと、
前記モバイルデバイスに関連付けられたメタデータが更新されたことを示す更新インジケータを前記外部サーバから受信するステップと、
前記更新インジケータに基づいて、前記モバイルデバイスに関連付けられた第2の告知を生成するステップと
を含む方法。
【請求項２】
前記第1の告知が、アイデンティティ、ロケーション、イベントまたはサービスのうちの少なくとも1つに関連付けられたパブリック告知であり、前記アイデンティティ、ロケーション、イベントまたはサービスが前記告知デバイスに関連付けられる、請求項1に記載の方法。
【請求項３】
前記パブリック告知がProSe発見フレームを含む、請求項2に記載の方法。
【請求項４】
前記モバイルデバイスのユーザインターフェースにユーザ通知を送信するステップをさらに含み、前記共有命令を受信するステップが、前記モバイルデバイスの前記ユーザインターフェースから前記共有命令を受信するステップを含む、請求項1に記載の方法。
【請求項５】
前記受信された第1の告知が、前記告知デバイスに関連付けられた識別を含み、
前記生成された発見共有データが、前記第1の告知中で受信された、前記告知デバイスに関連付けられた前記識別と、前記共有命令が受信されたことを示す共有命令インジケータとを含む、請求項1に記載の方法。
【請求項６】
前記モバイルデバイスのユーザインターフェースにユーザ通知を送信するステップをさらに含み、前記共有命令を受信するステップが、前記モバイルデバイスの前記ユーザインターフェースから前記共有命令を受信するステップを含み、
前記生成された発見共有データが、前記共有命令に関する、前記モバイルデバイスの前記ユーザインターフェースを介して入れられるか、または付加されたコンテキストデータをさらに含む、請求項5に記載の方法。
【請求項７】
前記第2の告知を送信するステップをさらに含み、前記第2の告知が、前記モバイルデバイスに関連付けられたアイデンティティに関連付けられたプライベート告知である、請求項1に記載の方法。
【請求項８】
前記プライベート告知が、
ProSe発見フレーム、または、
前記モバイルデバイスに関連付けられた前記アイデンティティの識別、および、(i)メタデータ更新タイムスタンプ、(ii)メタデータバージョン番号、(iii)メタデータ更新識別番号、または(iv)(i)、(ii)、および(iii)の任意の組合せのうちの1つまたは複数を示すメタデータ更新ステータスインジケータ、または、
前記プライベート告知が、前記モバイルデバイスに関連付けられた前記アイデンティティの識別、および、前記モバイルデバイスに関連付けられたメタデータが発見共有データを含むことを示す新規findフラグインジケータ
を含む、請求項7に記載の方法。
【請求項９】
モバイルデバイスのプロセッサによって実行されると、前記プロセッサに、請求項1乃至8のいずれか1項に記載の方法を実施させるコードを記憶した非一時的コンピュータ可読記録媒体。
【請求項１０】
ワイヤレス通信ネットワークにおける近接発見のためのモバイルデバイスであって、
近接発見の結果を共有するための手段を備え、
前記共有するための手段は、
告知デバイスから第1の告知を受信するための手段と、
前記受信された告知が、モバイルデバイスのユーザにとって興味深いということを示す共有命令を、前記モバイルデバイスのユーザから受信するための手段と、
前記共有命令に応答して、前記受信された第1の告知に基づいて発見共有データを生成するための手段と、
前記発見共有データを外部サーバに送信するための手段と、
前記モバイルデバイスに関連付けられたメタデータが更新されたことを示す更新インジケータを前記外部サーバから受信するための手段と、
前記更新インジケータに基づいて、前記モバイルデバイスに関連付けられた第2の告知を生成するための手段と
を備えるモバイルデバイス。
【請求項１１】
前記受信された第1の告知が、前記告知デバイスに関連付けられた識別を含み、
前記生成された発見共有データが、前記第1の告知中で受信された、前記告知デバイスに関連付けられた前記識別と、前記共有命令が受信されたことを示す共有命令インジケータとを含む、請求項10に記載のモバイルデバイス。
【請求項１２】
前記第2の告知を送信するための手段をさらに備え、前記第2の告知が、前記モバイルデバイスに関連付けられたアイデンティティに関連付けられたプライベート告知である、請求項10に記載のモバイルデバイス。
【請求項１３】
前記プライベート告知が、
ProSe発見フレーム、または、
前記モバイルデバイスに関連付けられた前記アイデンティティの識別、および、(i)メタデータ更新タイムスタンプ、(ii)メタデータバージョン番号、(iii)メタデータ更新識別番号、または(iv)(i)、(ii)、および(iii)の任意の組合せのうちの1つまたは複数を示すメタデータ更新ステータスインジケータ、または、
前記プライベート告知が、前記モバイルデバイスに関連付けられた前記アイデンティティの識別、および、前記モバイルデバイスに関連付けられたメタデータが発見共有データを含むことを示す新規findフラグインジケータ
を含む、請求項12に記載のモバイルデバイス。
【請求項１４】
請求項10乃至13のいずれか1項に記載の前記モバイルデバイスであって、
告知デバイスから前記第1の告知を受信するための手段を提供し、
前記受信された告知が、前記モバイルデバイスのユーザにとって興味深いということを示す前記共有命令を、前記モバイルデバイスのユーザから受信するための手段を提供し、
前記共有命令に応答して、前記受信された第1の告知に基づいて発見共有データを生成するための手段を提供し、
前記発見共有データを外部サーバに送信するための手段を提供し、
前記モバイルデバイスに関連付けられたメタデータが更新されたことを示す前記更新インジケータを前記外部サーバから受信するための手段を提供し、
前記更新インジケータに基づいて、前記モバイルデバイスに関連付けられた前記第2の告知を生成するための手段を提供する
ように構成されたプロセッサと、
関連データおよび命令を記憶するための、前記プロセッサに結合されたメモリと
を備えるモバイルデバイス。
【請求項１５】
前記第1の告知が、アイデンティティ、ロケーション、イベントまたはサービスのうちの少なくとも1つに関連付けられたパブリック告知であり、前記アイデンティティ、ロケーション、イベントまたはサービスが前記告知デバイスに関連付けられるか、または、
前記プロセッサが、前記モバイルデバイスのユーザインターフェースにユーザ通知を送信するようにさらに構成され、前記受信された共有命令が、前記モバイルデバイスの前記ユーザインターフェースから受信される、請求項14に記載のモバイルデバイス。